(57)【要約】      （修正有）【課題】外郭に変形或いは損傷を与えることはなく、効率的に電磁波障害を防ぐことができ、電子機械に伝送障害と輻射障害が生じることを防ぐ金属製シールドパネルを提供する。【解決手段】金属製シールドパネルは、パネル本体１と、電子機械の外殻に接触する少なくとも一つの板状の弾性接触片２とを含み、弾性接触片の両端はそれぞれパネル本体１と連接している。【選択図】図１
0003167608.tif 000002
【実用新案登録請求の範囲】
【請求項１】
パネル本体と、電子機械の外殻に接触する少なくとも一つの弾性接触片とを含み、弾性接触片の両端はそれぞれパネル本体と連接している、
ことを特徴とする電磁波障害を防ぐ金属製シールドパネル。
【請求項２】
前記弾性接触片には少なくとも一つの接触部を有し、接触部はパネル本体から突出している、
ことを特徴とする請求項１記載の電磁波障害を防ぐ金属製シールドパネル。
【請求項３】
前記弾性接触片の両側にはそれぞれ緩衝部が設けられている、
ことを特徴とする請求項２記載の電磁波障害を防ぐ金属製シールドパネル。
【請求項４】
前記緩衝部は、弾性接触片の接触部両側に設けられているアーチ形部によって形成され、緩衝部が曲がっている方向は接触部と逆方向になっている、
ことを特徴とする請求項３記載の電磁波障害を防ぐ金属製シールドパネル。
【請求項５】
前記接触部は弾性接触片の中央或いは両側に位置する、
ことを特徴とする請求項４記載の電磁波障害を防ぐ金属製シールドパネル。
【請求項６】
前記弾性接触片はパネル本体の側面或いはパネル本体の内部に設けられている、
ことを特徴とする請求項１〜５のいずれかに記載の電磁波障害を防ぐ金属製シールドパネル。
【請求項７】
前記パネル本体には通し穴と取り付け穴が形成されており、通し穴はパネル本体の中央位置に形成され、取り付け穴はパネル本体の周辺位置に形成されている、
ことを特徴とする請求項６記載の電磁波障害を防ぐ金属製シールドパネル。
【請求項８】
前記弾性接触片はパネル本体の長手方向或いは幅方向において設けられている、
ことを特徴とする請求項７記載の電磁波障害を防ぐ金属製シールドパネル。
【請求項９】
前記弾性接触片はパネル本体からブランキングによって形成された曲がった弾性接触片である、
ことを特徴とする請求項８記載の電磁波障害を防ぐ金属製シールドパネル。
【請求項１０】
前記弾性接触片はパネル本体に固定されている曲がった弾性接触片である、
ことを特徴とする請求項８記載の電磁波障害を防ぐ金属製シールドパネル。
【考案の詳細な説明】
【技術分野】
【０００１】
本考案は、電子機械の電磁波シールド装置に関わり、具体的には、各種の電気コネクター、オーディオシステム、家庭電器における音声・映像用コネクターに適用される、電磁波障害を防ぐ金属製シールドパネルに関わる。
【背景技術】
【０００２】
社会の絶え間ない進歩に伴い、人々の物質に対する需要も日々増加している。電器コネクターの分野も著しく変化しており、高品質と低価格がクライアントの考慮する第一の要素である。現在の電子機械において電磁波障害を防ぐことは、よく知られている安全性と同様に、製品の品質を評価する最も重要な基準の一つである。電子技術が飛躍的に発展している現在において、いかに電子機械の伝送障害と輻射障害を防ぎ、電子機械の適合性を満足するかは、電子業界が考えなければならない問題である。しかし、原材料価格が沸騰している一方、クライアントは価格を下げることを要求している。従って、この分野で優位に立ち且つ利益を得るには、費用対効果の高い材料を利用するほか、性能を満足させることを前提に、その構造が簡単であるほど材料の利用は少なくなり、コストを最小限に抑えることができるため、クライアントに好まれる。
【０００３】
従来の技術では、各電器コネクター、オーディオシステム、家庭電器の音声・映像用コネクターはプリント基板（PCB板）に固定され、プリント基板はそれぞれの電子機械の外殻内に固定されている。電子機械の外殻は接地線と連接しており、本体は電磁波障害を防ぐ機能を持つが、電器コネクター、オーディオシステム、家庭電器のプリント基板における音声・映像用コネクターは外殻と接触していないため、電器コネクター、オーディオシステム、家庭電器の音声・映像用コネクターは電磁波障害を防ぐことができない。これは従来の技術において各電器コネクター、オーディオシステム、家庭電器の音声・映像用コネクターに存在する問題である。
【考案の概要】
【考案が解決しようとする課題】
【０００４】
先行技術の問題を解決するために、本考案の目的は、電磁波障害を防ぐ金属製シールドパネルを提供することであり、これによって各電器コネクター、オーディオシステム、家庭電器の音声・映像用コネクターはそれぞれの電子機械の外殻と効率的に接触し、電磁波障害を防ぐことができる。
【課題を解決するための手段】
【０００５】
上記の目的を達成するために、本考案は以下の手段を通じて実現される：
電磁波障害を防ぐ金属製シールドパネルであって、パネル本体と、電子機械の外殻に接触する少なくとも一つの弾性接触片とを含み、弾性接触片の両端はそれぞれパネル本体と連接されている。
【０００６】
前記弾性接触片は少なくとも一つの接触部を有し、接触部はパネル本体から突出している。
【０００７】
前記弾性接触片の両側にはそれぞれ緩衝部が設けられている。
【０００８】
前記緩衝部は、弾性接触片の接触部両側に設けられているアーチ形部によって形成され、緩衝部が曲がっている方向は接触部と逆方向になっている。
【０００９】
前記接触部は弾性接触片の中央或いは両側に位置する。
【００１０】
前記弾性接触片はパネル本体の側面或いはパネル本体の内部に設けられている。
【００１１】
前記パネル本体には通し穴と取り付け穴が形成されており、通し穴はパネル本体の中央位置に形成され、取り付け穴はパネル本体の周辺位置に形成されている。
【００１２】
前記弾性接触片はパネル本体の長手方向或いは幅方向において設けられている。
【００１３】
前記弾性接触片はパネル本体からブランキングによって形成された曲がった弾性接触片である。
【００１４】
前記弾性接触片はパネル本体に固定されている曲がった弾性接触片である。
【考案の効果】
【００１５】
本考案の効果：本考案は、パネル本体と、電子機械の外殻に接触する少なくとも一つの弾性接触片とを含む。各電器コネクター、オーディオシステム、家庭電器に音声・映像用コネクターを装着した後、弾性接触片は電子機械の外殻との間で適切な圧力で接触するため、外郭に損傷を与えることはなく、且つ弾性接触部は各電器コネクター、オーディオシステム、家庭電器の音声・映像用コネクターがそれぞれの電子機械の外殻と接触することを保証するため、効率的に電磁波障害を防ぐことができ、電子機械に伝送障害と輻射障害が生じることを防ぐ目的を達成することができる。
【考案を実施するための形態】
【００１６】
＜実施形態１＞
本考案における電磁波障害を防ぐ金属製シールドパネルの実施形態は、図１ないし図４に示すように、パネル本体１と二つの弾性接触片２を含み、弾性接触片２を電子機械の外殻と接触するようにし、弾性接触片２の両端はそれぞれパネル本体と連接しており、このような構成は弾性接触片２の性能、例えば、弾力と回復力を向上させ、且つ長時間の使用後も弾性接触片２の弾力と回復力を比較的に高く保持することができる。
【００１７】
各電器コネクター、オーディオシステム、家庭電器に音声・映像用コネクターを装着した後、弾性接触片２は電子機械の外殻との間で適切な圧力で接触するため、外郭に損傷を与えることはなく、且つ弾性接触部２は各電器コネクター、オーディオシステム、家庭電器の音声・映像用コネクターがそれぞれの電子機械の外殻と接触することを保証するため、効率的に電磁波障害を防ぐことができ、電子機械に伝送障害と輻射障害が生じることを防ぐ目的を達成することができる。
【００１８】
前記パネル本体１には通し穴３と取り付け穴４が形成されており、通し穴３はパネル本体１の中央位置に形成され、取り付け穴４はパネル本体１の周辺位置の形成されている。金属製シールドパネルが各電器コネクター、オーディオシステム、家庭電器に音声・映像用コネクターに用いられる場合、各電器コネクター、オーディオシステム、家庭電器の音声・映像用コネクターは通し穴３から伸び出す。
【００１９】
前記弾性接触片２には一つの接触部５が形成されており、接触部５はパネル本体１から突出しており、接触部５はアーチ形であり、もちろん接触部５は他の形状でもよい。接触部５は、弾性接触片２が電子機械の外殻と接触するときの接触部位である。前記接触部５は弾性接触片２の中央位置に位置している。弾性接触片２は接触部５を通じて外郭と接触し、弾性接触片２が電子機械の外殻と接触するときに常に適切な圧力を保持するようにし、各電器コネクター、オーディオシステム、家庭電器の音声・映像用コネクターがそれぞれの電子機械の外殻と効率的に接触することを保証する。
【００２０】
ここで、厚さが比較的に薄い材料によって金属製シールドパネルを形成し、接触部５の弾力を更に強化して保持する。
【００２１】
前記弾性接触片２の両側にはそれぞれ緩衝部６が形成されており、緩衝部６は弾性接触片２の接触部５の両側に形成されているアーチ形部によって形成された緩衝部６であり、緩衝部６が曲がっている方向は接触部と逆方向になっている。緩衝部６は、弾性接触片２が圧迫された後反動できないことを避け、接触部５がその対応する電子機械の外殻と接触しないことを避けることができる。また、緩衝部６は弾性接触片２の弾力を増加させ、弾性接触片２が電気機械の外殻と接触するときの圧力を保証し、音声・映像用コネクターと外殻との間における効率的な接触を更に保証することができる。
【００２２】
前記弾性接触片２はパネル本体１の側面に形成され、弾性接触片２はパネル本体１の長手方向において形成されている。
【００２３】
理想的な実施形態として、前記弾性接触片２はパネル本体１からブランキングによって形成された曲がった弾性接触片２であって、弾性接触片２はアーチ形或いは波線形等曲線形状であり、弾性接触片２は多段による直線形状或いは不規則な形状でもよい。弾性接触片２の長手方向における二つの側面はパネル本体１と分離しており、弾性接触片２の幅方向における二つの側面はパネル本体１と連結している。弾性接触片２の構成は簡単であり、加工及び生産に適しており、且つ弾性接触片２は音声・映像用コネクターの装着又は使用に影響或いは障害をもたらさない。
【００２４】
好適な実施形態では、前記弾性接触片２はパネル本体１の内部に形成されており、弾性接触片２の両端とパネル本体１との連接はより安定で、金属製シールドパネル全体構成の強度を増加させる。
【００２５】
もう一つの好適な実施形態では、前記弾性接触片２はパネル本体１に固定された曲がった弾性接触片２であり、弾性接触片２はアーチ形或いは波線形等曲線形状であり、弾性接触片２は多段による直線形状或いは不規則な形状でもよい。弾性接触片２の長手方向における二つの側面はパネル本体１と分離しており、弾性接触片２の幅方向における二つの側面はパネル本体１に固定されている。弾性接触片２の両端は、例えば溶接、リベット締め等の加工手法によってパネル本体１に固定されることで、本考案と同様な効果を得ることができる。
【００２６】
本考案は、単一型コネクターに用いられるほか、図２に示すように、AV差込口、S端子差込口、SCART差込口、イヤホン差込口、デジタル端末機械などと結合することができる。また、図３に示すように、本考案はより多くのコネクターと結合することで新しい複合体を形成することができる。
【００２７】
＜実施形態２＞
本考案における電磁波障害を防ぐ金属製シールドパネルの実施形態は、図５に示すように、パネル本体１と二つの弾性接触片２を含み、本実施形態の主要な構成と期待できる効果は実施形態１と同様であり、前記実施形態と異なる点として、二つの弾性接触片２はそれぞれパネル本体１の幅方向において形成されており、二つの弾性接触片２はそれぞれパネル本体１両側の縁に位置して形成されている。
【００２８】
＜実施形態３＞
本考案における電磁波障害を防ぐ金属製シールドパネルの実施形態は、図６に示すように、本実施形態の主要な構成と期待できる効果は実施形態１と同様であり、前記実施形態と異なる点として、金属製シールドパネルはパネル本体１と一つの弾性接触片２とを含み、弾性接触片２はパネル本体１の幅方向において形成されており、弾性接触片２はパネル本体１の片側の縁に位置して形成されている。
【００２９】
＜実施形態４＞
本考案における電磁波障害を防ぐ金属製シールドパネルの実施形態は、図７に示すように、本実施形態の主要な構成と期待できる効果は実施形態１と同様であり、前記実施形態と異なる点として、パネル本体１と一つの弾性接触片２とを含み、弾性接触片２はパネル本体１の長手方向において形成されており、弾性接触片２はパネル本体１の片側の縁に位置して形成されている。
【００３０】
＜実施形態５＞
本考案における電磁波障害を防ぐ金属製シールドパネルの実施形態は、図８に示すように、パネル本体１と二つの弾性接触片２とを含み、弾性接触片２はパネル本体１の長手方向において形成されており、接触部５は弾性接触片２の両側に位置している。本実施形態の主要な構成と期待できる効果は実施形態１と同様であり、前記実施形態と異なる点として、弾性接触片２には二つの接触部５が形成されており、二つの接触部５はそれぞれ弾性接触片２の両側に位置している。二つの接触部５の設計は、弾性接触片２の接触性能を更に向上させ、弾性接触片２がその対応する電子機械の外殻と効率的に接触することを更に保証し、且つ弾性接触片２と外殻間の電気抵抗を下げることによって、電磁波障害を防ぐ効果を高めることができる。
【００３１】
＜実施形態６＞
本考案における電磁波障害を防ぐ金属製シールドパネルの実施形態は、図９に示すように、パネル本体１と二つの弾性接触片２とを含み、弾性接触片２はそれぞれパネル本体１の長手方向において形成されており、本実施形態の主要な構成と期待できる効果は実施形態１と同様である。前記実施形態と異なる点として、接触部５は平面状であり、接触部５とその対応する電子機械との間における接触面積はより広いため、弾性接触片２の接触性能を向上させ、且つ弾性接触片２と外殻間の電気抵抗を下げることによって、電磁波障害を防ぐ効果を高めることができる。
【００３２】
以上は本考案の好適な実施形態に過ぎず、本分野における通常知識を有する技術者が本考案の思想に基づき、具体的な実施形態及び適用範囲を変動させることもありうるが、本明細書の内容を本考案に対する制限と解してはならない。
【図面の簡単な説明】
【００３３】
【図１】本考案の実施形態１における構成を示す図である。
【図２】本考案を電器コネクターに適用する際の構成を示す図である。
【図３】本考案を複合型電器コネクターに適用する際の構成を示す図である。
【図４】本考案を他種の電器コネクターに適用する際の構成を示す図である。
【図５】本考案の実施形態２における構成を示す図である。
【図６】本考案の実施形態３における構成を示す図である。
【図７】本考案の実施形態４における構成を示す図である。
【図８】本考案の実施形態５における構成を示す図である。
【図９】本考案の実施形態６における構成を示す図である。
【符号の説明】
【００３４】
１  パネル本体
２  弾性接触片
３  通し穴
４  取り付け穴
５  接触部
６  緩衝部
【図１】
0003167608.tif 000003
【図２】
0003167608.tif 000004
【図３】
0003167608.tif 000005
【図４】
0003167608.tif 000006
【図５】
0003167608.tif 000007
【図６】
0003167608.tif 000008
【図７】
0003167608.tif 000009
【図８】
0003167608.tif 000010
【図９】
0003167608.tif 000011
【手続補正書】
【提出日】平成23年3月2日(2011.3.2)
【手続補正１】
【補正対象書類名】実用新案登録請求の範囲
【補正対象項目名】全文
【補正方法】変更
【補正の内容】
【実用新案登録請求の範囲】
【請求項１】
パネル本体と、電子機械の外殻に接触する少なくとも一つの板状の弾性接触片とを含み、弾性接触片の両端はそれぞれパネル本体と連接している、
ことを特徴とする電磁波障害を防ぐ金属製シールドパネル。
【請求項２】
前記弾性接触片には少なくとも一つの接触部を有し、接触部はパネル本体から突出している、
ことを特徴とする請求項１記載の電磁波障害を防ぐ金属製シールドパネル。
【請求項３】
前記弾性接触片の両側にはそれぞれ緩衝部が設けられている、
ことを特徴とする請求項２記載の電磁波障害を防ぐ金属製シールドパネル。
【請求項４】
前記緩衝部は、弾性接触片の接触部両側に設けられているアーチ形部によって形成され、緩衝部が曲がっている方向は接触部と逆方向になっている、
ことを特徴とする請求項３記載の電磁波障害を防ぐ金属製シールドパネル。
【請求項５】
前記接触部は弾性接触片の中央或いは両側に位置する、
ことを特徴とする請求項４記載の電磁波障害を防ぐ金属製シールドパネル。
【請求項６】
前記弾性接触片はパネル本体の側面或いはパネル本体の内部に設けられている、
ことを特徴とする請求項１〜５のいずれかに記載の電磁波障害を防ぐ金属製シールドパネル。
【請求項７】
前記パネル本体には通し穴と取り付け穴が形成されており、通し穴はパネル本体の中央位置に形成され、取り付け穴はパネル本体の周辺位置に形成されている、
ことを特徴とする請求項６記載の電磁波障害を防ぐ金属製シールドパネル。
【請求項８】
前記弾性接触片はパネル本体の長手方向或いは幅方向において設けられている、
ことを特徴とする請求項７記載の電磁波障害を防ぐ金属製シールドパネル。
【請求項９】
前記弾性接触片はパネル本体からブランキングによって形成された曲がった弾性接触片である、
ことを特徴とする請求項８記載の電磁波障害を防ぐ金属製シールドパネル。
【請求項１０】
前記弾性接触片はパネル本体に固定されている曲がった弾性接触片である、
ことを特徴とする請求項８記載の電磁波障害を防ぐ金属製シールドパネル。